(57)【要約】【課題】スクロール操作の停止時などにおいて表示されていた地図を簡便に保存及び表示させることが可能な地図表示装置を提供する。【解決手段】地図表示装置は、例えば車載用のナビゲーション装置などに好適に適用され、表示部に地図を表示させる。具体的には、第１の入力手段は、スクロール操作の停止時に表示されていた地図を保存させるための地図保存入力を受け付け、地図保存手段は、地図保存入力を受け付けた場合にスクロール操作の停止時に表示されていた地図を保存する。一方、第２の入力手段は、保存された地図を表示させるための保存地図表示入力を受け付け、地図表示手段は、保存地図表示入力を受け付けた場合に保存された地図を表示する。これにより、簡便なボタン操作によって、スクロール操作の停止時に表示されていた地図を容易に保存及び表示することができる。【選択図】図２
2009058575.tif 000002
【特許請求の範囲】
【請求項１】
表示部の表示画面上に地図を表示させる地図表示装置であって、
ユーザによる地図のスクロール操作の停止時に表示されていた地図を保存させるための地図保存入力を受け付ける第１の入力手段と、
前記第１の入力手段によって前記地図保存入力を受け付けた場合に、前記スクロール操作の停止時に表示されていた地図を保存する地図保存手段と、
前記地図保存手段によって保存された地図を表示させるための保存地図表示入力を受け付ける第２の入力手段と、
前記第２の入力手段によって前記保存地図表示入力を受け付けた場合に、前記地図保存手段によって保存された地図を前記表示画面上に表示する地図表示手段と、を備えることを特徴とする地図表示装置。
【請求項２】
前記地図保存手段は、スクロール操作中若しくはスクロール操作の停止時において当該スクロール操作とは異なる指示入力により他の地図を表示するための切り替えが行われた場合に、前記スクロール操作における最終地点で表示されていた地図を更に保存することを特徴とする請求項１に記載の地図表示装置。
【請求項３】
スクロール操作の停止時の地点における地点データを記憶する地点データ記憶手段と、
前にスクロール操作を停止した地点における地図を表示させるためのスクロール前地図表示入力を受け付ける第３の入力手段と、
先にスクロール操作を停止した地点における地図を表示させるためのスクロール先地図表示入力を受け付ける第４の入力手段と、を更に備え、
前記地図表示手段は、前記地点データ記憶手段が記憶している前記地点データに基づいて、前記第３の入力手段によって前記スクロール前地図表示入力を受け付けた場合には前記前にスクロール操作を停止した地点における地図を表示し、前記第４の入力手段によって前記スクロール先地図表示入力を受け付けた場合には前記先にスクロール操作を停止した地点における地図を表示することを特徴とする請求項１又は２に記載の地図表示装置。
【請求項４】
表示部の表示画面上に地図を表示させる地図表示装置であって、
ユーザによる地図のスクロール操作中若しくはスクロール操作の停止時において当該スクロール操作とは異なる指示入力により他の地図を表示するための切り替えが行われた場合に、前記スクロール操作における最終地点で表示されていた地図を保存する地図保存手段と、
前記地図保存手段によって保存された地図を表示させるための保存地図表示入力を受け付ける入力手段と、
前記入力手段によって前記保存地図表示入力を受け付けた場合に、前記地図保存手段に保存されている地図を前記表示画面上に表示する地図表示手段と、を備えることを特徴とする地図表示装置。
【請求項５】
表示部の表示画面上に地図を表示させる地図表示装置であって、
スクロール操作の停止時の地点における地点データを記憶する地点データ記憶手段と、  前にスクロール操作を停止した地点における地図を表示させるためのスクロール前地図表示入力を受け付ける第１の入力手段と、
先にスクロール操作を停止した地点における地図を表示させるためのスクロール先地図表示入力を受け付ける第２の入力手段と、
前記地点データ記憶手段が記憶している前記地点データに基づいて、前記第１の入力手段によって前記スクロール前地図表示入力を受け付けた場合には前記前にスクロール操作を停止した地点における地図を表示し、前記第２の入力手段によって前記スクロール先地図表示入力を受け付けた場合には前記先にスクロール操作を停止した地点における地図を表示する地図表示手段と、を備えることを特徴とする地図表示装置。
【請求項６】
表示部の表示画面上に地図を表示させる地図表示装置において実行される地図表示方法であって、
ユーザによる地図のスクロール操作の停止時に表示されていた地図を保存させるための地図保存入力を受け付ける第１の入力工程と、
前記第１の入力工程によって前記地図保存入力を受け付けた場合に、前記スクロール操作の停止時に表示されていた地図を保存する地図保存工程と、
前記地図保存工程によって保存された地図を表示させるための保存地図表示入力を受け付ける第２の入力工程と、
前記第２の入力工程によって前記保存地図表示入力を受け付けた場合に、前記地図保存工程によって保存された地図を前記表示画面上に表示する地図表示工程と、を備えることを特徴とする地図表示方法。
【請求項７】
コンピュータを備える地図表示装置において実行される地図表示プログラムであって、
ユーザによる地図のスクロール操作の停止時に表示されていた地図を保存させるための地図保存入力を受け付ける第１の入力手段、
前記第１の入力手段によって前記地図保存入力を受け付けた場合に、前記スクロール操作の停止時に表示されていた地図を保存する地図保存手段、
前記地図保存手段によって保存された地図を表示させるための保存地図表示入力を受け付ける第２の入力手段、
前記第２の入力手段によって前記保存地図表示入力を受け付けた場合に、前記地図保存手段によって保存された地図を表示画面上に表示する地図表示手段、として前記コンピュータを機能させることを特徴とする地図表示プログラム。
【請求項８】
請求項７に記載の地図表示プログラムを記録したことを特徴とする記録媒体。
【発明の詳細な説明】
【技術分野】
【０００１】
本発明は、表示部の表示画面上に地図データを表示する技術に関する。
【背景技術】
【０００２】
従来から、車両に搭載されるナビゲーション装置などにおいては、表示されている地図をスクロールして表示させる機能が搭載されている。具体的には、タッチパネルとして構成された表示部（ディスプレイ）をタッチすることによって、地図をスクロールさせて表示させる機能などが搭載されている。例えば、特許文献１には、車両の現在位置に対する画面上の接触点に対応する位置の方向を検出し、この方向とは逆方向に、表示されている地図情報をスクロールする技術が記載されている。
【０００３】
【特許文献１】特開平１０−１９８２７０号公報
【発明の開示】
【発明が解決しようとする課題】
【０００４】
しかしながら、上記した特許文献１に記載された技術では、スクロール操作の停止時に表示されていた地図を簡便に保存することができず、また、スクロール操作の停止時に表示されていた地図を簡便に表示させることができなかった。
【０００５】
本発明が解決しようとする課題としては、上記のものが一例として上げられる。本発明は、スクロール操作の停止時などにおいて表示されていた地図を簡便に保存及び表示させることが可能な地図表示装置、地図表示方法、及び地図表示プログラムを提供することを目的とする。
【課題を解決するための手段】
【０００６】
請求項１に記載の発明は、表示部の表示画面上に地図を表示させる地図表示装置は、ユーザによる地図のスクロール操作の停止時に表示されていた地図を保存させるための地図保存入力を受け付ける第１の入力手段と、前記第１の入力手段によって前記地図保存入力を受け付けた場合に、前記スクロール操作の停止時に表示されていた地図を保存する地図保存手段と、前記地図保存手段によって保存された地図を表示させるための保存地図表示入力を受け付ける第２の入力手段と、前記第２の入力手段によって前記保存地図表示入力を受け付けた場合に、前記地図保存手段によって保存された地図を前記表示画面上に表示する地図表示手段と、を備えることを特徴とする。
【０００７】
請求項４に記載の発明は、表示部の表示画面上に地図を表示させる地図表示装置は、ユーザによる地図のスクロール操作中若しくはスクロール操作の停止時において当該スクロール操作とは異なる指示入力により他の地図を表示するための切り替えが行われた場合に、前記スクロール操作における最終地点で表示されていた地図を保存する地図保存手段と、前記地図保存手段によって保存された地図を表示させるための保存地図表示入力を受け付ける入力手段と、前記入力手段によって前記保存地図表示入力を受け付けた場合に、前記地図保存手段に保存されている地図を前記表示画面上に表示する地図表示手段と、を備えることを特徴とする。
【０００８】
請求項５に記載の発明は、表示部の表示画面上に地図を表示させる地図表示装置は、スクロール操作の停止時の地点における地点データを記憶する地点データ記憶手段と、前にスクロール操作を停止した地点における地図を表示させるためのスクロール前地図表示入力を受け付ける第１の入力手段と、先にスクロール操作を停止した地点における地図を表示させるためのスクロール先地図表示入力を受け付ける第２の入力手段と、前記地点データ記憶手段が記憶している前記地点データに基づいて、前記第１の入力手段によって前記スクロール前地図表示入力を受け付けた場合には前記前にスクロール操作を停止した地点における地図を表示し、前記第２の入力手段によって前記スクロール先地図表示入力を受け付けた場合には前記先にスクロール操作を停止した地点における地図を表示する地図表示手段と、を備えることを特徴とする。
【０００９】
請求項６に記載の発明は、表示部の表示画面上に地図を表示させる地図表示装置において実行される地図表示方法は、ユーザによる地図のスクロール操作の停止時に表示されていた地図を保存させるための地図保存入力を受け付ける第１の入力工程と、前記第１の入力工程によって前記地図保存入力を受け付けた場合に、前記スクロール操作の停止時に表示されていた地図を保存する地図保存工程と、前記地図保存工程によって保存された地図を表示させるための保存地図表示入力を受け付ける第２の入力工程と、前記第２の入力工程によって前記保存地図表示入力を受け付けた場合に、前記地図保存工程によって保存された地図を前記表示画面上に表示する地図表示工程と、を備えることを特徴とする。
【００１０】
請求項７に記載の発明は、コンピュータを備える地図表示装置において実行される地図表示プログラムは、ユーザによる地図のスクロール操作の停止時に表示されていた地図を保存させるための地図保存入力を受け付ける第１の入力手段、前記第１の入力手段によって前記地図保存入力を受け付けた場合に、前記スクロール操作の停止時に表示されていた地図を保存する地図保存手段、前記地図保存手段によって保存された地図を表示させるための保存地図表示入力を受け付ける第２の入力手段、前記第２の入力手段によって前記保存地図表示入力を受け付けた場合に、前記地図保存手段によって保存された地図を表示画面上に表示する地図表示手段、として前記コンピュータを機能させることを特徴とする。
【発明を実施するための最良の形態】
【００１１】
本発明の１つの観点では、表示部の表示画面上に地図を表示させる地図表示装置は、ユーザによる地図のスクロール操作の停止時に表示されていた地図を保存させるための地図保存入力を受け付ける第１の入力手段と、前記第１の入力手段によって前記地図保存入力を受け付けた場合に、前記スクロール操作の停止時に表示されていた地図を保存する地図保存手段と、前記地図保存手段によって保存された地図を表示させるための保存地図表示入力を受け付ける第２の入力手段と、前記第２の入力手段によって前記保存地図表示入力を受け付けた場合に、前記地図保存手段によって保存された地図を前記表示画面上に表示する地図表示手段と、を備える。
【００１２】
上記の地図表示装置は、例えば車載用のナビゲーション装置などに好適に適用され、表示部の表示画面上に地図を表示させる。具体的には、第１の入力手段は、スクロール操作の停止時に表示されていた地図を保存させるための地図保存入力を受け付け、地図保存手段は、第１の入力手段によって地図保存入力を受け付けた場合に、スクロール操作の停止時に表示されていた地図を保存する。これにより、スクロール操作の停止時における地図を容易に保存することができる。例えば、地点における名称などを選択してリストに登録などを行うことなく、地図を容易に保存することができる。一方、第２の入力手段は、保存された地図を表示させるための保存地図表示入力を受け付け、地図表示手段は、第２の入力手段によって保存地図表示入力を受け付けた場合に地図保存手段によって保存された地図を表示する。これにより、スクロール操作の停止時における地図を容易に表示することができる。例えば、登録したリストの中から表示したいものを選択することなく、地図を即座に表示することができる。上記の地図表示装置によれば、簡便なボタン操作によって、スクロール操作の停止時に表示されていた地図を容易に保存及び表示することができる。
【００１３】
上記の地図表示装置の一態様では、前記地図保存手段は、スクロール操作中若しくはスクロール操作の停止時において当該スクロール操作とは異なる指示入力により他の地図を表示するための切り替えが行われた場合に、前記スクロール操作における最終地点で表示されていた地図を更に保存する。
【００１４】
この態様によれば、スクロール操作中若しくはスクロール操作の停止時において当該スクロール操作とは異なる指示入力により他の地図を表示するための切り替えが行われた場合に、スクロール操作における最終地点で表示されていた地図を適切に保存することができる。具体的には、スクロール操作中などにおいて他の地図へ切り替えられた場合に、スクロール操作における最終地点で表示されていた地図を、ユーザが操作しなくても自動で保存することができる。
【００１５】
上記の地図表示装置の他の一態様では、スクロール操作の停止時の地点における地点データを記憶する地点データ記憶手段と、前にスクロール操作を停止した地点における地図を表示させるためのスクロール前地図表示入力を受け付ける第３の入力手段と、先にスクロール操作を停止した地点における地図を表示させるためのスクロール先地図表示入力を受け付ける第４の入力手段と、を更に備え、前記地図表示手段は、前記地点データ記憶手段が記憶している前記地点データに基づいて、前記第３の入力手段によって前記スクロール前地図表示入力を受け付けた場合には前記前にスクロール操作を停止した地点における地図を表示し、前記第４の入力手段によって前記スクロール先地図表示入力を受け付けた場合には前記先にスクロール操作を停止した地点における地図を表示する。
【００１６】
この態様によれば、スクロール操作の停止時の地点における地図（例えば、画像データなど）を保存しなくても、前にスクロール操作を停止した地点に戻って地図を適切に表示させることができる共に、先にスクロール操作を停止した地点に進んで地図を適切に表示させることができる。
【００１７】
本発明の他の観点では、表示部の表示画面上に地図を表示させる地図表示装置は、ユーザによる地図のスクロール操作中若しくはスクロール操作の停止時において当該スクロール操作とは異なる指示入力により他の地図を表示するための切り替えが行われた場合に、前記スクロール操作における最終地点で表示されていた地図を保存する地図保存手段と、前記地図保存手段によって保存された地図を表示させるための保存地図表示入力を受け付ける入力手段と、前記入力手段によって前記保存地図表示入力を受け付けた場合に、前記地図保存手段に保存されている地図を前記表示画面上に表示する地図表示手段と、を備える。これにより、スクロール操作中若しくはスクロール操作の停止時において当該スクロール操作とは異なる指示入力により他の地図を表示するための切り替えが行われた場合に、スクロール操作における最終地点で表示されていた地図を適切に保存することができる。
【００１８】
また、本発明の他の観点では、表示部の表示画面上に地図を表示させる地図表示装置は、スクロール操作の停止時の地点における地点データを記憶する地点データ記憶手段と、前にスクロール操作を停止した地点における地図を表示させるためのスクロール前地図表示入力を受け付ける第１の入力手段と、先にスクロール操作を停止した地点における地図を表示させるためのスクロール先地図表示入力を受け付ける第２の入力手段と、前記地点データ記憶手段が記憶している前記地点データに基づいて、前記第１の入力手段によって前記スクロール前地図表示入力を受け付けた場合には前記前にスクロール操作を停止した地点における地図を表示し、前記第２の入力手段によって前記スクロール先地図表示入力を受け付けた場合には前記先にスクロール操作を停止した地点における地図を表示する地図表示手段と、を備える。これにより、スクロール操作の停止時の地点における地図を保存しなくても、前にスクロール操作を停止した地点における地図及び先にスクロール操作を停止した地点における地図を適切に表示させることができる。
【００１９】
更に、本発明の他の観点では、表示部の表示画面上に地図を表示させる地図表示装置において実行される地図表示方法は、ユーザによる地図のスクロール操作の停止時に表示されていた地図を保存させるための地図保存入力を受け付ける第１の入力工程と、前記第１の入力工程によって前記地図保存入力を受け付けた場合に、前記スクロール操作の停止時に表示されていた地図を保存する地図保存工程と、前記地図保存工程によって保存された地図を表示させるための保存地図表示入力を受け付ける第２の入力工程と、前記第２の入力工程によって前記保存地図表示入力を受け付けた場合に、前記地図保存工程によって保存された地図を前記表示画面上に表示する地図表示工程と、を備える。
【００２０】
更に、本発明の他の観点では、コンピュータを備える地図表示装置において実行される地図表示プログラムは、ユーザによる地図のスクロール操作の停止時に表示されていた地図を保存させるための地図保存入力を受け付ける第１の入力手段、前記第１の入力手段によって前記地図保存入力を受け付けた場合に、前記スクロール操作の停止時に表示されていた地図を保存する地図保存手段、前記地図保存手段によって保存された地図を表示させるための保存地図表示入力を受け付ける第２の入力手段、前記第２の入力手段によって前記保存地図表示入力を受け付けた場合に、前記地図保存手段によって保存された地図を表示画面上に表示する地図表示手段、として前記コンピュータを機能させる。
【００２１】
上記した地図表示方法及び地図表示プログラムによっても、簡便なボタン操作によって、スクロール操作の停止時に表示されていた地図を容易に保存及び表示することが可能となる。なお、地図表示プログラムは、記録媒体に記録した状態で好適に取り扱うことができる。
【実施例】
【００２２】
以下、図面を参照して本発明の好適な実施例について説明する。なお、以下の説明は、本発明を車両用のナビゲーション装置に適用した例を示す。
【００２３】
［ナビゲーション装置］
図１に、ナビゲーション装置１の構成を示す。図１に示すように、ナビゲーション装置１は、自立測位装置１０、ＧＰＳ受信機１８、システムコントローラ２０、ディスクドライブ３１、データ記憶ユニット３６、通信用インタフェース３７、通信装置３８、表示ユニット４０、音声出力ユニット５０及び入力装置６０を備える。
【００２４】
自立測位装置１０は、加速度センサ１１、角速度センサ１２及び距離センサ１３を備える。加速度センサ１１は、例えば圧電素子からなり、車両の加速度を検出し、加速度データを出力する。角速度センサ１２は、例えば振動ジャイロからなり、車両の方向変換時における車両の角速度を検出し、角速度データ及び相対方位データを出力する。距離センサ１３は、車両の車輪の回転に伴って発生されているパルス信号からなる車速パルスを計測する。
【００２５】
ＧＰＳ受信機１８は、複数のＧＰＳ衛星から、測位用データを含む下り回線データを搬送する電波１９を受信する。測位用データは、緯度及び経度情報等から車両の絶対的な位置を検出するために用いられる。
【００２６】
システムコントローラ２０は、インタフェース２１、ＣＰＵ（Central Processing Unit）２２、ＲＯＭ（Read Only Memory）２３及びＲＡＭ（Random Access Memory）２４を含んでおり、ナビゲーション装置１全体の制御を行う。
【００２７】
インタフェース２１は、加速度センサ１１、角速度センサ１２及び距離センサ１３並びにＧＰＳ受信機１８とのインタフェース動作を行う。そして、これらから、車速パルス、加速度データ、相対方位データ、角速度データ、ＧＰＳ測位データ、絶対方位データ等をシステムコントローラ２０に入力する。ＣＰＵ２２は、システムコントローラ２０全体を制御する。ＲＯＭ２３は、システムコントローラ２０を制御する制御プログラム等が格納された図示しない不揮発性メモリ等を有する。ＲＡＭ２４は、入力装置６０を介して使用者により予め設定された経路データ等の各種データを読み出し可能に格納したり、ＣＰＵ２２に対してワーキングエリアを提供したりする。
【００２８】
システムコントローラ２０、ＣＤ−ＲＯＭドライブ又はＤＶＤ−ＲＯＭドライブなどのディスクドライブ３１、データ記憶ユニット３６、通信用インタフェース３７、表示ユニット４０、音声出力ユニット５０及び入力装置６０は、バスライン３０を介して相互に接続されている。
【００２９】
ディスクドライブ３１は、システムコントローラ２０の制御の下、ＣＤ又はＤＶＤといったディスク３３から、音楽データ、映像データなどのコンテンツデータを読み出し、出力する。なお、ディスクドライブ３１は、ＣＤ−ＲＯＭドライブ又はＤＶＤ−ＲＯＭドライブのうち、いずれか一方としてもよいし、ＣＤ及びＤＶＤコンパチブルのドライブとしてもよい。
【００３０】
データ記憶ユニット３６は、例えば、ＨＤＤなどにより構成され、地図データなどのナビゲーション処理に用いられる各種データを記憶するユニットである。通信装置３８は、例えば、ＦＭチューナやビーコンレシーバ、携帯電話や専用の通信カードなどにより構成され、通信用インタフェース３７を介して、ＶＩＣＳ（Vehicle Information Communication System）センタなどから配信される情報（以下、「ＶＩＣＳ情報」と呼ぶ。）を取得する。
【００３１】
表示ユニット４０は、システムコントローラ２０の制御の下、各種表示データをディスプレイなどの表示装置に表示する。具体的には、システムコントローラ２０は、データ記憶ユニット３６から地図データを読み出す。表示ユニット４０は、システムコントローラ２０によってデータ記憶ユニット３６から読み出された地図データなどを表示画面上に表示する。表示ユニット４０は、バスライン３０を介してＣＰＵ２２から送られる制御データに基づいて表示ユニット４０全体の制御を行うグラフィックコントローラ４１と、ＶＲＡＭ（Video RAM ）等のメモリからなり即時表示可能な画像情報を一時的に記憶するバッファメモリ４２と、グラフィックコントローラ４１から出力される画像データに基づいて、液晶、ＣＲＴ（Cathode Ray Tube）等のディスプレイ４４を表示制御する表示制御部４３と、ディスプレイ４４とを備える。ディスプレイ４４は、画像表示部として機能し、例えば対角５〜１０インチ程度の液晶表示装置等からなり、車内のフロントパネル付近に装着される。
【００３２】
音声出力ユニット５０は、システムコントローラ２０の制御の下、ＣＤ−ＲＯＭドライブ３１又はＤＶＤ−ＲＯＭ３２、若しくはＲＡＭ２４等からバスライン３０を介して送られる音声デジタルデータのＤ／Ａ（Digital to Analog）変換を行うＤ／Ａコンバータ５１と、Ｄ／Ａコンバータ５１から出力される音声アナログ信号を増幅する増幅器（ＡＭＰ）５２と、増幅された音声アナログ信号を音声に変換して車内に出力するスピーカ５３とを備えて構成されている。
【００３３】
入力装置６０は、各種コマンドやデータを入力するための、キー、スイッチ、ボタン、リモコン、音声入力装置等から構成されている。入力装置６０は、車内に搭載された当該車載用電子システムの本体のフロントパネルやディスプレイ４４の周囲に配置される。また、ディスプレイ４４がタッチパネル方式である場合には、ディスプレイ４４の表示画面上に設けられたタッチパネルも入力装置６０として機能する。
【００３４】
なお、図１におけるＣＰＵ２２などは、本発明における地図表示装置に相当する。具体的には、ＣＰＵ２２などは、第１の入力手段、第２の入力手段、第３の入力手段、第４の入力手段、地図保存手段、及び地図表示手段、並びに地点データ記憶手段に相当する。
【００３５】
［地図表示方法］
以下で、地図表示方法の実施例について説明する。本実施例では、基本的には、ユーザによって地図のスクロール操作が行われた場合に、スクロール操作の停止時などに表示されていた地図を保存するための処理を行うと共に、このようにして保存された地図を表示するための処理を行う。
【００３６】
（第１実施例）
まず、第１実施例に係る地図表示方法について説明する。第１実施例では、ユーザによる地図のスクロール操作の停止時に表示されていた地図を保存させるための地図保存入力を受け付けると共に、スクロール操作の停止時に表示されていた地図を表示させるための保存地図表示入力を受け付けることによって、スクロール操作の停止時に表示されていた地図を保存及び表示する。詳しくは、ユーザによる地図のスクロール操作の停止時に表示されていた地図を保存させるための地図保存用ボタン、及びスクロール操作の停止時に表示されていた地図を表示させるための地図表示用ボタンを表示画面に表示させることによって、スクロール操作の停止時に表示されていた地図を保存及び表示する。具体的には、スクロール操作の停止時に地図保存用ボタンを表示させ、ユーザによって地図保存用ボタンが押下された場合に、地図を保存すると共に地図表示用ボタンを表示させる。そして、ユーザによって地図表示用ボタンが押下された場合に、保存されている地図を表示する。以上の第１実施例に係る地図表示方法によれば、簡便なボタン操作によって、スクロール操作の停止時に表示されていた地図を容易に保存及び表示することができる。
【００３７】
ここで、図２及び図３を参照して、第１実施例に係る地図表示方法について具体的に説明する。
【００３８】
図２は、スクロール操作の停止時に表示されていた地図を保存するまでの手順を説明するための図である。図２（ａ）は、ユーザによって地図のスクロール操作が行われている際の表示画面を示す図である。この場合、地点Ａ（図２において星印で示す）は、表示画面の左上に位置している。なお、入力装置６０として、ディスプレイ４４の表示画面上に設けられたタッチパネルを使用する場合、ユーザは指又はタッチペンなどによりタッチパネルにタッチすることにより、スクロール操作を行う。一方、入力装置６０としてリモコンを使用する場合、ユーザはリモコンに設けられた入力部を操作して地図表示エリア中に表示されたカーソルの位置を上下左右に移動させ、決定ボタンなどを押すことにより、スクロール操作を行う。
【００３９】
図２（ｂ）は、スクロール操作の停止時における表示画面を示している。この場合、スクロール操作の結果、地点Ａが表示画面の概ね中央（図２において十字で示す）に位置している。ユーザによるスクロール操作が停止された場合、地図保存用ボタンＢ１が表示画面上に表示される。この地図保存用ボタンＢ１がユーザにより押下された場合には、スクロール操作の停止時における地図（つまり、図２（ｂ）において表示されている地図）が保存されることとなる。次に、図２（ｃ）は、図２（ｂ）に示す表示画面中の地図保存用ボタンＢ１が押下された場合に表示される表示画面を示している。ユーザにより地図保存用ボタンＢ１が押下された場合、表示画面中に地図表示用ボタンＢ２が表示される。この地図表示用ボタンＢ２がユーザにより押下された場合には、スクロール操作の停止時における地図（つまり、図２（ｂ）の表示画面に表示されていた地図）が表示されることとなる。なお、図２（ｃ）の表示画面における地図に対して更にスクロール操作が行われた場合において、スクロール操作の停止時に表示された地図保存用ボタンＢ１が押下された場合、地図は上書き保存されることとなる。
【００４０】
図３は、スクロール操作の停止時に表示されていた地図を表示するまでの手順を説明するための図である。なお、図３に示す表示画面は、図２を用いて説明した手順を行った後に表示されるものである。
【００４１】
図３（ａ）は、上記した図２（ｃ）の表示画面に表示されていた地図を更にスクロール操作して、スクロール操作を停止させた際に表示される表示画面を示している。この場合、表示画面には、地図保存用ボタンＢ１及び地図表示用ボタンＢ２が表示されている。図３（ｂ）は、図３（ａ）に示す表示画面中の地図表示用ボタンＢ２が押下された場合に表示される表示画面を示している。ユーザにより地図表示用ボタンＢ２が押下された場合、地図保存用ボタンＢ１が押下されることによって保存されていた地図が表示されることとなる。具体的には、スクロール操作の停止時における地図（つまり、図２（ｂ）の表示画面に表示されていた地図）が表示されることとなる。詳しくは、地点Ａ（図３において星印で示す）が表示画面の概ね中央に位置している地図が表示されることとなる。
【００４２】
次に、図４及び図５を参照して、第１実施例に係る地図表示処理を説明する。
【００４３】
図４は、スクロール操作の停止時に表示されていた地図を保存するための処理を示すフローチャートである。なお、この処理は、ＣＰＵ２２が繰り返し実行する。具体的には、ＣＰＵ２２が予め用意されたプログラムを実行することにより行われる。
【００４４】
まず、ステップＳ１０１では、ＣＰＵ２２は、ディスプレイ４４に表示されている地図へのユーザによるタッチがあったか否かを判定する。言い換えると、ＣＰＵ２２は、ユーザによって地図のスクロール操作が行われているか否かを判定する。この場合、ＣＰＵ２２は、ディスプレイ４４の表示画面上に設けられたタッチパネル（入力装置６０として機能する）に入力される信号に基づいて判定を行う。地図へのタッチがあった場合（ステップＳ１０１；Ｙｅｓ）、処理はステップＳ１０２に進み、地図へのタッチがなかった場合（ステップＳ１０１；Ｎｏ）、処理は当該フローを抜ける。
【００４５】
ステップＳ１０２では、ＣＰＵ２２は、ユーザによる地図へのタッチが終了したか否かを判定する。つまり、ＣＰＵ２２は、ユーザによるスクロール操作が停止したか否かを判定する。タッチが終了している場合（ステップＳ１０２；Ｙｅｓ）、処理はステップＳ１０４に進む。ステップＳ１０４では、ユーザによるスクロール操作が停止したため、ＣＰＵ２２は、地図をスクロールさせる処理を停止する。そして、処理はステップＳ１０５に進む。これに対して、タッチが終了していない場合（ステップＳ１０２；Ｎｏ）、処理はステップＳ１０３に進む。ステップＳ１０３では、ユーザによるスクロール操作が継続しているので、ＣＰＵ２２は、地図をスクロールさせる処理を継続する。そして、処理はステップＳ１０２に戻る。
【００４６】
ステップＳ１０５では、ユーザによるスクロール操作が停止したため、ＣＰＵ２２は、表示画面上に地図保存用ボタンを表示させる。そして、処理はステップＳ１０６に進む。ステップＳ１０６では、ＣＰＵ２２は、ユーザにより地図保存用ボタンの押下があったか否かを判定する。この場合も、ＣＰＵ２２は、入力装置６０として機能するタッチパネルに入力される信号に基づいて、地図保存用ボタンの押下があったか否かの判定を行う。
【００４７】
地図保存用ボタンの押下があった場合（ステップＳ１０６；Ｙｅｓ）、処理はステップＳ１０７に進む。ステップＳ１０７では、ＣＰＵ２２は、スクロール操作の停止時に表示されていた地図を保存する。例えば、ＣＰＵ２２は、スクロール操作の停止時に表示されていた地図の画像データなどを保存するための処理を行う。なお、前回行ったステップＳ１０７の処理で保存している地図が存在する場合、今回のステップＳ１０７の処理では、ＣＰＵ２２は、前回保存された地図に対して新たな地図を上書きして保存する。そして、処理は当該フローを抜ける。
【００４８】
これに対して、地図保存用ボタンの押下がなかった場合（ステップＳ１０６；Ｎｏ）、処理はステップＳ１０８に進む。ステップＳ１０８では、ＣＰＵ２２は、スクロール操作の停止時に表示されていた地図を保存しない。そして、処理は当該フローを抜ける。
【００４９】
図５は、スクロール操作の停止時に表示されていた地図を表示するための処理を示すフローチャートである。なお、この処理は、ＣＰＵ２２が繰り返し実行する。具体的には、ＣＰＵ２２が予め用意されたプログラムを実行することにより行われる。
【００５０】
まず、ステップＳ２０１では、ＣＰＵ２２は、ユーザにより現在地表示ボタンの押下があったか否かを判定する。つまり、ＣＰＵ２２は、ユーザによって、現在地を示す地図表示への切り替え操作が行われたか否かを判定する。現在地表示ボタンの押下があった場合（ステップＳ２０１；Ｙｅｓ）、処理はステップＳ２０２に進む。この場合、ＣＰＵ２２は、現在地を示す地図を表示画面上に表示させる（ステップＳ２０２）。そして、処理はステップＳ２０３に進む。これに対して、現在地表示ボタンの押下がなかった場合（ステップＳ２０１；Ｎｏ）、処理は当該フローを抜ける。
【００５１】
ステップＳ２０３では、ＣＰＵ２２は、地図が保存されているか否かを判定する。具体的には、ＣＰＵ２２は、前述したステップＳ１０７の処理により保存された地図が存在するか否かを判定する。言い換えると、スクロール操作の停止時における地図を保存しているか否かを判定する。地図が保存されている場合（ステップＳ２０３；Ｙｅｓ）、処理はステップＳ２０４に進む。この場合、ＣＰＵ２２は、表示画面上に地図表示用ボタンを表示させる（Ｓ２０４）。そして、処理はステップＳ２０６に進む。これに対して、地図が保存されていない場合（ステップＳ２０３；Ｎｏ）、処理はステップＳ２０５に進む。この場合、ＣＰＵ２２は、表示画面上に地図表示用ボタンを表示しない（ステップＳ２０５）。表示させるべき地図を保存していないからである。そして、処理は当該フローを抜ける。
【００５２】
ステップＳ２０６では、ＣＰＵ２２は、ユーザにより地図表示用ボタンの押下があったか否かを判定する。この場合も、ＣＰＵ２２は、入力装置６０として機能するタッチパネルに入力される信号に基づいて、地図表示用ボタンの押下があったか否かの判定を行う。
【００５３】
地図表示用ボタンの押下があった場合（ステップＳ２０６；Ｙｅｓ）、処理はステップＳ２０７に進む。この場合、ＣＰＵ２２は、保存している地図を表示画面上に表示する（ステップＳ２０７）。つまり、ＣＰＵ２２は、スクロール操作の停止時における地図を表示する。例えば、ＣＰＵ２２は、保存している地図の画像データなどを読み出して、この画像データに対応する画像を表示画面上に表示させる処理を行う。そして、処理は当該フローを抜ける。
【００５４】
これに対して、地図表示用ボタンの押下がなかった場合（ステップＳ２０６；Ｎｏ）、処理はステップＳ２０８に進む。この場合、ＣＰＵ２２は、保存している地図を表示画面上に表示しない（ステップＳ２０８）。そして、処理は当該フローを抜ける。
【００５５】
なお、上記した処理では、現在地を示す地図表示への切り替えが行われた場合において（ステップＳ２０１の処理参照）、保存している地図を表示する例を示したが、これに限定はされない。例えば、ユーザによって更にスクロール操作が行われた場合や、現在地を示す地図以外の他の地図を表示するための切り替えが行われた場合においても、地図表示用ボタンの押下があった場合に保存している地図を表示しても良い。また、上記の地図表示処理（図４及び図５参照）では、入力装置６０としてタッチパネルを使用する場合を例に挙げたが、入力装置６０としてリモコンを使用する場合にも、同様の処理を行うことができる。つまり、ユーザがリモコン操作を行う場合や物理的ボタン操作などを行う場合にも、同様の処理を行うことができる。
【００５６】
以上説明した第１実施例に係る地図表示方法によれば、簡便なボタン操作によって、スクロール操作の停止時に表示されていた地図を容易に保存及び表示することができる。具体的には、地図保存用ボタンを押下するだけでスクロール操作の停止時における地図を保存することができる。例えば、地点における名称などを選択してリストに登録などを行うことなく、地図を容易に保存することができる。また、地図表示用ボタンを押下するだけでスクロール操作の停止時における地図を表示することができる。例えば、登録したリストの中から表示したいものを選択することなく、地図を即座に表示することができる。更に、保存及び表示の操作が簡便であるため、例えば走行中などにおけるユーザの負担を効果的に軽減することが可能となる。
【００５７】
（第２実施例）
次に、第２実施例に係る地図表示方法について説明する。第２実施例では、ユーザによるスクロール操作中若しくはスクロール操作の停止時において、当該スクロール操作とは異なる指示入力により他の地図を表示するための切り替えが行われた場合に、スクロール操作における最終地点で表示されていた地図（以下、「スクロール最終地点の地図」とも呼ぶ。）を自動的に保存する点で、前述した第１実施例と異なる。具体的には、第２実施例では、スクロール操作中若しくはスクロール操作の停止時において他の地図（例えば現在地を示す地図）へ切り替えられた場合に、スクロール最終地点の地図を自動的に保存すると共に、前述したものと同様の地図表示用ボタンが押下された場合に、こうして保存されたスクロール最終地点の地図を表示する。
【００５８】
図６は、第２実施例に係る地図表示方法を説明するための図である。図６（ａ）は、現在地を示す地図に切り替えられる直前のスクロール操作中における表示画面を示す図である。この場合、地点Ａ（図６において星印で示す）は、表示画面の左上に位置している。図６（ｂ）は、現在地を示す地図表示への切り替えが行われた場合における表示画面を示す図である。つまり、図６（ｂ）は、現在地を示す地図の表示画面を示している。例えばユーザによって現在地表示ボタン（不図示）が押下された場合に、このような現在地を示す地図への切り替えが行われる。この場合、表示画面には、地図表示用ボタンＢ２が表示されている。このような地図の切り替えが行われた場合、スクロール最終地点の地図（つまり、現在地を示す地図表示へ切り替えられる直前においてスクロール操作中に表示されていた地図）が保存されることとなる。即ち、図６（ａ）の表示画面に表示されていた地図が保存されることとなる。
【００５９】
図６（ｃ）は、図６（ｂ）に示す表示画面中の地図表示用ボタンＢ２が押下された場合に表示される表示画面を示している。ユーザにより地図表示用ボタンＢ２が押下された場合、スクロール最終地点の地図、つまり図６（ａ）の表示画面に表示されていた地図が表示されることとなる。詳しくは、地点Ａが表示画面の左上に位置している地図が表示されることとなる。
【００６０】
なお、図６では、スクロール操作中に現在地表示の指示入力があった場合における例を示したが、スクロール操作の停止時に現在地表示等のスクロール操作とは異なる指示入力があった場合にも、同様にしてスクロール最終地点の地図を保存する処理などが行われる。
【００６１】
図７は、第２実施例に係る地図表示処理を示すフローチャートである。なお、この処理も、ＣＰＵ２２が繰り返し実行する。具体的には、ＣＰＵ２２が予め用意されたプログラムを実行することにより行われる。
【００６２】
ステップＳ３０１〜Ｓ３０４の処理は、前述したステップＳ１０１〜Ｓ１０４の処理（図４参照）と同様であるため、その説明を省略する。ここでは、ステップＳ３０５以降の処理について説明する。
【００６３】
ステップＳ３０５では、ＣＰＵ２２は、ユーザにより現在地表示ボタンの押下があったか否かを判定する。つまり、ＣＰＵ２２は、ユーザによって、現在地を示す地図表示への切り替え操作が行われたか否かを判定する。現在地表示ボタンの押下があった場合（ステップＳ３０５；Ｙｅｓ）、処理はステップＳ３０６に進み、現在地表示ボタンの押下がなかった場合（ステップＳ３０５；Ｎｏ）、処理はステップＳ３０５に戻る。
【００６４】
ステップＳ３０６では、ＣＰＵ２２は、スクロール最終地点の地図を保存する。つまり、ＣＰＵ２２は、現在地を示す地図表示へ切り替えられる直前において表示されていた地図（即ち、スクロール操作の停止時に表示されていた地図）を保存する。例えば、ＣＰＵ２２は、スクロール最終地点の地図の画像データなどを保存するための処理を行う。なお、既に保存している地図が存在する場合には、ＣＰＵ２２は、この既に保存している地図に対して新たな地図を上書きして保存する。
【００６５】
ステップＳ３０７では、ＣＰＵ２２は、現在地を示す地図を表示画面上に表示させる。そして、処理はステップＳ３０８に進む。ステップＳ３０８では、ＣＰＵ２２は、表示画面上に地図表示用ボタンを表示させる。そして、処理はステップＳ３０９に進む。
【００６６】
ステップＳ３０９では、ＣＰＵ２２は、ユーザにより地図表示用ボタンの押下があったか否かを判定する。地図表示用ボタンの押下があった場合（ステップＳ３０９；Ｙｅｓ）、処理はステップＳ３１０に進む。この場合、ＣＰＵ２２は、保存しているスクロール最終地点の地図を表示画面上に表示する（ステップＳ３１０）。例えば、ＣＰＵ２２は、保存している地図の画像データなどを読み出して、この画像データに対応する画像を表示画面上に表示させる処理を行う。そして、処理は当該フローを抜ける。これに対して、地図表示用ボタンの押下がなかった場合（ステップＳ３０９；Ｎｏ）、処理はステップＳ３１１に進む。この場合、ＣＰＵ２２は、スクロール最終地点の地図を表示画面上に表示しない（ステップＳ３１１）。そして、処理は当該フローを抜ける。
【００６７】
なお、上記では、現在地表示の指示入力があり現在地を示す地図表示への切り替えが行われた場合にスクロール最終地点の地図を自動的に保存する例を示したが、現在地表示の指示入力以外のスクロール操作とは異なる指示入力があった場合にも、このようにして地図を保存することができる。スクロール操作とは異なる指示入力の例としては、現在地表示の指示入力の他に、施設検索を実行して検索された施設周辺の地図を表示する指示入力や、ユーザがメモリに登録した地点を表示する指示入力などが挙げられる。
【００６８】
また、上記の地図表示処理（図７参照）では、入力装置６０としてタッチパネルを使用する場合を例に挙げたが、入力装置６０としてリモコンを使用する場合にも、同様の処理を行うことができる。つまり、ユーザがリモコン操作を行う場合や物理的ボタン操作などを行う場合にも、同様の処理を行うことができる。
【００６９】
更に、図７では、スクロール操作の停止時にスクロール操作とは異なる指示入力を受け付けた場合に行われる処理を示したが、スクロール操作中にスクロール操作とは異なる指示入力を受け付けた場合にも、同様の処理を行うことができる。
【００７０】
以上説明した第２実施例に係る地図表示方法によれば、スクロール操作中若しくはスクロール操作の停止時にスクロール操作とは異なる指示入力により他の地図を表示するための切り替えが行われた場合に、スクロール最終地点の地図を適切に保存することができると共に、スクロール最終地点の地図を容易に表示させることができる。具体的には、スクロール操作中若しくはスクロール操作の停止時において他の地図へ切り替えられた場合に、ユーザが操作しなくても自動でスクロール最終地点の地図を保存することができると共に、地図表示用ボタンを押下するだけでスクロール最終地点の地図を表示することができる。
【００７１】
なお、第２実施例に係る地図表示方法と、前述した第１実施例に係る地図表示方法とを組み合わせることも可能である。具体的には、スクロール操作の停止時に地図保存用ボタンを表示させて、ユーザによって地図保存用ボタンが押下された場合に地図を保存することができると共に、スクロール操作中若しくはスクロール操作の停止時において他の地図へ切り替えられた場合に、スクロール最終地点の地図を自動的に保存することができる。また、ユーザによって地図表示用ボタンが押下された場合に、このようにして保存された、スクロール操作の停止時における地図やスクロール最終地点の地図を表示することができる。
【００７２】
（第３実施例）
次に、第３実施例に係る地図表示方法について説明する。第３実施例では、スクロール操作の停止時の地点（以下、「スクロール停止地点」と呼ぶ。）における地点データを記憶し、この地点データに基づいて、前のスクロール停止地点に戻って地図を表示させると共に、先のスクロール停止地点に進んで地図を表示させる点で、前述した第１及び第２実施例と異なる。具体的には、第３実施例では、ユーザによるスクロール操作が停止されるごとに、スクロール停止地点における地点データ（例えば、スクロール操作が停止された地点における位置座標などのデータ）を記憶する。そして、前にスクロール操作を停止した地点における地図を表示させるためのスクロール前地図表示入力を受け付けると共に、先にスクロール操作を停止した地点における地図を表示させるためのスクロール先地図表示入力を受け付ける。より具体的には、前のスクロール停止地点に戻って地図を表示させるためのボタン（以下、「戻るボタン」と呼ぶ。）、及び先のスクロール停止地点に進んで地図を表示させるためのボタン（以下、「進むボタン」と呼ぶ。）を表示画面に表示することによって、このようなスクロール前地図表示入力及びスクロール先地図表示入力を受け付ける。この場合において、戻るボタンが押下された場合には、現在表示している地図に対して１つ前のスクロール停止地点における地図を表示する。一方、進むボタンが押下された場合には、現在表示している地図に対して１つ先のスクロール停止地点における地図を表示する。以上の第３実施例に係る地図表示方法によれば、スクロール停止地点における地図（画像データなど）を保存しなくても、前のスクロール停止地点に戻って地図を適切に表示させることができる共に、先のスクロール停止地点に進んで地図を適切に表示させることができる。
【００７３】
図８は、第３実施例に係る地図表示方法を説明するための図である。図８（ａ）は、スクロール操作の停止時における表示画面を示す図である。なお、図８（ａ）におけるスクロール操作は１回目のものであるものとする。この場合には、地点Ａ（図８において星印で示す）は、表示画面の概ね中央に位置している。このようにしてスクロール操作が停止された場合、図８（ａ）の表示画面における地点（つまりスクロール停止地点）の地点データが記憶されることとなる。また、地図保存用ボタンＢ１と共に、戻るボタンＣ１及び進むボタンＣ２が表示画面上に表示される。具体的には、戻るボタンＣ１及び進むボタンＣ２は両方とも、非アクティブにされている（図８においてはハッチングで示してある）。つまり、戻るボタンＣ１及び進むボタンＣ２を押下することはできない。この場合には、スクロール操作が１回目のものであるため、前のスクロール停止地点における地図、及び先のスクロール停止地点における地図が存在しないからである。
【００７４】
図８（ｂ）は、図８（ａ）の表示画面に表示されていた地図を更にスクロール操作して、スクロール操作を停止させた際に表示される表示画面を示している。つまり、図８（ｂ）におけるスクロール操作は２回目のものである。この場合には、地点Ａは、表示画面の左上に位置している。このようにスクロール操作が停止された場合、図８（ｂ）の表示画面における地点（つまりスクロール停止地点）の地点データが記憶されることとなる。また、戻るボタンＣ１が非アクティブからアクティブにされ、進むボタンＣ２は非アクティブのままにされる。つまり、戻るボタンＣ１のみが、押下することが可能な状態となる。これは、スクロール操作を今までに２回行っており、且つ現在２回目のスクロール操作の停止時における地図が表示されているため、前のスクロール停止地点における地図は存在するが、先のスクロール停止地点における地図は存在しないからである。つまり、新たに表示させることができる地図として、１回目のスクロール停止地点（図８（ａ）の表示画面におけるスクロール停止地点）における地図しか存在しないからである。更に言い換えると、現時点においては、１つ前のスクロール停止地点における地点データのみが記憶されており、１つ先のスクロール停止地点における地点データが記憶されていないからである。
【００７５】
図８（ｃ）は、図８（ｂ）に示す表示画面中の戻るボタンＣ１が押下された場合に表示される表示画面を示している。ユーザにより戻るボタンＣ１が押下された場合、１つ前のスクロール停止地点における地図が表示される。即ち、１回目のスクロール停止地点における地図（つまり、図８（ａ）の表示画面に表示されていた地図）、詳しくは地点Ａが表示画面の概ね中央に位置している地図が表示されることとなる。また、戻るボタンＣ１がアクティブから非アクティブにされると共に、進むボタンＣ２が非アクティブからアクティブにされる。つまり、進むボタンＣ２のみが、押下することが可能な状態となる。これは、スクロール操作を今までに２回行っており、且つ現在１回目のスクロール操作の停止時における地図が表示されているため、先のスクロール停止地点における地図は存在するが、前のスクロール停止地点における地図は存在しないからである。つまり、新たに表示させることができる地図として、２回目のスクロール停止地点（図８（ｂ）の表示画面におけるスクロール停止地点）における地図しか存在しないからである。更に言い換えると、現時点においては、１つ先のスクロール停止地点における地点データのみが記憶されており、１つ前のスクロール停止地点における地点データが記憶されていないからである。
【００７６】
この後、ユーザによって、図８（ｃ）に示す表示画面中の進むボタンＣ２が押下された場合、１つ先のスクロール停止地点における地図が表示される。つまり、２回目のスクロール停止地点における地図、即ち図８（ｂ）の表示画面に表示されていた地図が表示されることとなる。また、戻るボタンＣ１が非アクティブからアクティブにされると共に、進むボタンＣ２がアクティブから非アクティブにされる。つまり、このようにして進むボタンＣ２が押下された場合には、図８（ｂ）の表示画面と同様の表示画面が表示されることとなる。
【００７７】
図９は、第３実施例に係る地図表示処理を示すフローチャートである。なお、この処理も、ＣＰＵ２２が繰り返し実行する。具体的には、ＣＰＵ２２が予め用意されたプログラムを実行することにより行われる。
【００７８】
ステップＳ４０１〜Ｓ４０４の処理は、前述したステップＳ１０１〜Ｓ１０４の処理（図４参照）と同様であるため、その説明を省略する。ここでは、ステップＳ４０５以降の処理について説明する。
【００７９】
ステップＳ４０５の処理は、ユーザによるスクロール操作が停止した場合（ステップＳ４０４；Ｙｅｓ）に実行される。ステップＳ４０５の処理では、ＣＰＵ２２は、スクロール操作が停止したため、地図保存用ボタン、戻るボタン、及び進むボタンを表示画面上に表示させる。そして、処理はステップＳ４０６に進む。なお、上記のようにしてスクロール操作が停止した場合、ＣＰＵ２２は、スクロール停止地点における地点データ（例えば、スクロール操作が停止された地点における位置座標などのデータ）を記憶する。
【００８０】
ステップＳ４０６では、ＣＰＵ２２は、ユーザにより戻るボタンの押下があったか否かを判定する。戻るボタンの押下があった場合（ステップＳ４０６；Ｙｅｓ）、処理はステップＳ４０７に進み、戻るボタンの押下がなかった場合（ステップＳ４０６；Ｎｏ）、処理はステップＳ４０９に進む。
【００８１】
ステップＳ４０７では、ＣＰＵ２２は、戻るボタンがアクティブであるか否かを判定する。言い換えると、ＣＰＵ２２は、１つ前のスクロール停止地点における地点データが記憶されているか否かを判定する。戻るボタンがアクティブである場合（ステップＳ４０７；Ｙｅｓ）、処理はステップＳ４０８に進む。これに対して、戻るボタンがアクティブでない場合（ステップＳ４０７；Ｎｏ）、つまり戻るボタンが非アクティブである場合、処理はステップＳ４０９に進む。
【００８２】
ステップＳ４０８では、ＣＰＵ２２は、１つ前のスクロール停止地点における地図を表示する。具体的には、ＣＰＵ２２は、記憶している１つ前のスクロール停止地点における地点データ（位置座標などのデータ）を読み出して、この地点データに対応する地図を表示画面に表示させる処理を行う。そして、処理はステップＳ４０９に進む。なお、このように地図を表示させた後に、現時点において１つ前のスクロール停止地点における地点データが記憶されていない場合には、ＣＰＵ２２は、戻るボタンをアクティブから非アクティブに変更する。
【００８３】
ステップＳ４０９では、ＣＰＵ２２は、ユーザにより進むボタンの押下があったか否かを判定する。進むボタンの押下があった場合（ステップＳ４０９；Ｙｅｓ）、処理はステップＳ４１０に進み、進むボタンの押下がなかった場合（ステップＳ４０９；Ｎｏ）、処理は当該フローを抜ける。
【００８４】
ステップＳ４１０では、ＣＰＵ２２は、進むボタンがアクティブであるか否かを判定する。言い換えると、ＣＰＵ２２は、１つ先のスクロール停止地点における地点データが記憶されているか否かを判定する。進むボタンがアクティブである場合（ステップＳ４１０；Ｙｅｓ）、処理はステップＳ４１１に進む。これに対して、進むボタンがアクティブでない場合（ステップＳ４１０；Ｎｏ）、つまり進むボタンが非アクティブである場合、処理は当該フローを抜ける。
【００８５】
ステップＳ４１１では、ＣＰＵ２２は、１つ先のスクロール停止地点における地図を表示する。具体的には、ＣＰＵ２２は、記憶している１つ先のスクロール停止地点における地点データ（位置座標などのデータ）を読み出して、この地点データに対応する地図を表示画面に表示させる処理を行う。以上の処理が終了すると、処理は当該フローを抜ける。なお、このように地図を表示させた後に、現地点において１つ先のスクロール停止地点における地点データが記憶されていない場合には、ＣＰＵ２２は、進むボタンをアクティブから非アクティブに変更する。
【００８６】
なお、上記の地図表示処理（図９参照）では、入力装置６０としてタッチパネルを使用する場合を例に挙げたが、入力装置６０としてリモコンを使用する場合にも、同様の処理を行うことができる。つまり、ユーザがリモコン操作を行う場合や物理的ボタン操作などを行う場合にも、同様の処理を行うことができる。
【００８７】
以上説明した第３実施例に係る地図表示方法によれば、スクロール停止地点における地図（画像データなど）を保存しなくても、前のスクロール停止地点に戻って地図を適切に表示させることができる共に、先のスクロール停止地点に進んで地図を適切に表示させることができる。例えば、スクロール操作を行って所望の地点における地図を表示した後に、誤って地図部分をタッチしてしまいスクロールが開始してしまう場合があるが、このような場合に戻るボタンを押下することにより、スクロール操作を再度行うことなく、所望の地点における地図を容易に表示させることが可能となる。
【００８８】
なお、第３実施例に係る地図表示方法と、前述した第１実施例及び第２実施例の少なくともいずれかの地図表示方法とを組み合わせることも可能である。具体的には、スクロール停止地点の地点データに基づいて、前のスクロール停止地点における地図や先のスクロール停止地点における地図を表示させると共に、第１実施例で示したように、地図保存用ボタンが押下されることによって保存された地図を地図表示用ボタンが押下された場合に表示させたり、第２実施例で示したように、スクロール操作中若しくはスクロール操作の停止時において他の地図へ切り替えられた際に保存されたスクロール最終地点の地図を表示させたりすることができる。
【００８９】
以上説明したように、本実施例においては、ナビゲーション装置内のＣＰＵは、ユーザによる地図のスクロール操作の停止時に表示されていた地図を保存させるための地図保存入力を受け付ける第１の入力手段と、第１の入力手段によって地図保存入力を受け付けた場合に、スクロール操作の停止時に表示されていた地図を保存する地図保存手段と、地図保存手段によって保存された地図を表示させるための保存地図表示入力を受け付ける第２の入力手段と、第２の入力手段によって保存地図表示入力を受け付けた場合に、地図保存手段によって保存された地図を表示画面上に表示する地図表示手段と、を備える。これにより、簡便なボタン操作によって、スクロール操作の停止時に表示されていた地図を容易に保存及び表示することが可能となる。
【００９０】
［変形例］
なお、上記した地図表示処理は、ＣＰＵ２２が予め用意されたプログラム（地図表示プログラム）を実行することによって行うことを想定しているが、この代わりに、回路などにおけるハードウェア処理によって行うこととしても良い。また、地図表示プログラムは、予めＲＯＭ２３に格納されていることとしても良いし、地図表示プログラムが記憶されたＣＤやＤＶＤなどの記録媒体によって外部から供給され、ディスクドライブ３１が読み取ったプログラムをＲＯＭ２３に格納するものとしても良い。
【図面の簡単な説明】
【００９１】
【図１】実施例に係るナビゲーション装置の概略構成を示すブロック図である。
【図２】スクロール操作の停止時における地図を保存する手順を説明するための図である。
【図３】スクロール操作の停止時における地図を表示する手順を説明するための図である。
【図４】第１実施例における地図の保存処理を示すフローチャートである。
【図５】第１実施例における地図の表示処理を示すフローチャートである。
【図６】第２実施例に係る地図表示方法を説明するための図である。
【図７】第２実施例に係る地図表示処理を示すフローチャートである。
【図８】第３実施例に係る地図表示方法を説明するための図である。
【図９】第３実施例に係る地図表示処理を示すフローチャートである。
【符号の説明】
【００９２】
１  ナビゲーション装置
１０  自立測位装置
１８  ＧＰＳ受信機
２０  システムコントローラ
２２  ＣＰＵ
３６  データ記憶ユニット
３８  通信装置
４０  表示ユニット
４４  ディスプレイ
【図１】
2009058575.tif 000003
【図２】
2009058575.tif 000004
【図３】
2009058575.tif 000005
【図４】
2009058575.tif 000006
【図５】
2009058575.tif 000007
【図６】
2009058575.tif 000008
【図７】
2009058575.tif 000009
【図８】
2009058575.tif 000010
【図９】
2009058575.tif 000011